(57)【要約】【課題】  テーブルの偶発的な回転を防止し、回転操作も楽にする。【解決手段】  フリップオーバーソー１は、モータ１３を、本体１１が上側となるマイタソーのテーブル位置では、本体１１が上死点にある状態で、テーブル３の回転軸５，５の上方近傍に位置するように配置している。具体的には、上方近傍として、本体１１の上死点の位置で、モータ１３の中心Ｏ１が、テーブル３の回転中心となる回転軸５，５の軸心Ｏを通る鉛直面Ｓよりもやや前方に位置する設定として、中心Ｏ１と鉛直面Ｓとの水平方向の距離Ｈを小さくしている。【選択図】  図５
2006044070.tif 000002
【特許請求の範囲】
【請求項１】
ベースと、そのベース上で１８０°反転可能に支持される水平なテーブルと、そのテーブルの片面側に設けられた支持アームへ上下動可能に支持され、モータによって回転駆動する鋸刃を備えた本体と、その本体と前記支持アームとの間に設けられ、前記鋸刃が前記テーブルを貫通する前記本体の下死点で前記本体を固定可能な固定機構とを備え、
前記本体が上側となる前記テーブルの位置では、前記本体の下降操作により前記鋸刃で前記テーブル上の被切断材を切断するマイタソーとして使用可能とする一方、前記固定機構により前記本体が下死点で固定された状態で前記本体が下側となる前記テーブルの位置では、前記テーブルを貫通して上方へ露出する前記鋸刃に対して被切断材をスライドさせて切断するテーブルソーとして使用可能としたフリップオーバーソーであって、
前記モータを、前記本体が上側となる前記テーブルの位置では、前記本体が上死点にある状態で前記テーブルの回転中心の上方近傍に位置するように配置したことを特徴とするフリップオーバーソー。
【請求項２】
マイタソーからテーブルソーへのテーブルの反転が、前記テーブルの前方を上方へ跳ね上げる方向で行われるものにあっては、前記マイタソーでの本体の上死点位置で、モータの中心がテーブルの回転中心よりも前方に位置するようにした請求項１に記載のフリップオーバーソー。
【請求項３】
本体が支持アームへ支軸によって上下方向で回転可能に軸着されるものにあっては、マイタソーでの前記本体の下死点位置で、テーブルの回転中心からモータの中心までの距離が、前記テーブルの回転中心から前記支軸の中心までの距離よりも短くなるようにした請求項１又は２に記載のフリップオーバーソー。
【発明の詳細な説明】
【技術分野】
【０００１】
本発明は、回転駆動する鋸刃を備えた本体を上下動可能に支持したテーブルを、ベース上で１８０°反転可能に支持させて、本体を上にしたテーブル位置ではマイタソーとして、本体を下にして鋸刃をテーブル上に突出させたテーブル位置ではテーブルソーとして夫々使用可能としたフリップオーバーソーに関する。
【背景技術】
【０００２】
フリップオーバーソーは、四角台状のベース上に、テーブルをその中間部位を支点として１８０°反転可能に水平支持して、両面何れを上にしても固定可能とする一方、テーブルの片面側に、モータによって回転駆動する鋸刃を備えた本体を上下動可能に軸着して、本体が上になるテーブル位置では、テーブル上に載置した被切断材に対して本体を下降させて切断するマイタソー（卓上丸鋸盤）として使用可能となっている。そして、本体を、鋸刃がテーブルを貫通して下側に突出する下死点でテーブル上に固定し、その状態で本体が下になるテーブル位置とすれば、テーブル上に露出する鋸刃に対して被切断材をスライドさせて切断するテーブルソーとして使用可能となる。このようなフリップオーバーソーとしては、特許文献１に記載のものが知られている。
【０００３】
【特許文献１】米国特許第５７８７７７９号明細書
【発明の開示】
【発明が解決しようとする課題】
【０００４】
上記フリップオーバーソーにおいては、マイタソーの状態で重量の大きいモータがテーブルの後端寄りに位置するようになっている。よって、テーブルのバランスが悪くなって回転しやすい状態になり、誤操作によるテーブルの回転でテーブルや本体が破損するおそれが生じる。また、テーブルの重心がテーブルの回転中心から遠くなることで、テーブルを反転させる際の遠心力が大きくなってテーブルの反転操作がしにくくなり、操作性の低下も招いている。
【０００５】
そこで、請求項１に記載の発明は、偶発的なテーブルの回転を防止可能で、テーブル反転の際の良好な操作性も確保できるフリップオーバーソーを提供することを目的としたものである。
【課題を解決するための手段】
【０００６】
上記目的を達成するために、請求項１に記載の発明は、モータを、本体が上側となるテーブルの位置では、本体が上死点にある状態でテーブルの回転中心の上方近傍に位置するように配置したことを特徴とするものである。
請求項２に記載の発明は、請求項１の目的に加えて、マイタソーからテーブルソーへのテーブルの反転が、前記テーブルの前方を上方へ跳ね上げる方向で行われるものにおいて、マイタソーからの偶発的なテーブルの回転をより効果的に防止するために、マイタソーでの本体の上死点位置で、モータの中心がテーブルの回転中心よりも前方に位置するようにしたものである。
請求項３に記載の発明は、請求項１又は２の目的に加えて、本体が支持アームへ支軸によって上下方向で回転可能に軸着されるものにおいて、マイタソーからテーブルソーへのテーブル反転の際の操作性をより良好とするために、マイタソーでの本体の下死点位置で、テーブルの回転中心からモータの中心までの距離が、テーブルの回転中心から支軸の中心までの距離よりも短くなるようにしたものである。
なお、本発明において、回転中心の上方近傍とは、モータの中心が回転中心の真上に位置する場合は勿論、その真上位置から前方或いは後方へややずれる場合も含む。
【発明の効果】
【０００７】
請求項１に記載の発明によれば、マイタソーの状態でテーブルがバランス良く支持されるので、誤操作によってテーブルの固定が解除されてもテーブルが反転してしまうことがなく、偶発的な回転によるテーブルや本体の破損が防止される。また、重心が回転中心に近くなることでテーブルの回転操作が楽に行え、操作性も向上する。
請求項２に記載の発明によれば、請求項１の効果に加えて、テーブルソーへの反転は前方が上方へ跳ね上げ操作されるテーブルにおいて、重心が前方寄りに位置することになるため、マイタソーからのテーブルの偶発的な回転がより効果的に防止される。
請求項３に記載の発明によれば、請求項１又は２の効果に加えて、モータがテーブルの回転中心により近くなるため、反転時に生じる慣性モーメントが小さくなり、軽い力で簡単に反転させることができる。よって、マイタソーからテーブルソーへのテーブル反転の際の操作性が良好となる。
【発明を実施するための最良の形態】
【０００８】
以下、本発明の実施の形態を図面に基づいて説明する。
図１は、フリップオーバーソーの一例を示す全体図、図２はその平面図で、フリップオーバーソー１は、平面矩形状の台であるベース２と、ベース２の上部に設けられるテーブル３と、テーブル３に設けられる鋸刃ユニット４とからなる。テーブル３は、左右方向（図１，２での右側を前方とする）の回転軸５，５を中心に１８０°反転可能に支持され、ストッパ機構６によってテーブル３の両面何れを上にしても水平状態で固定可能となっている。また、テーブル３には、円形のターンテーブル７が水平回転可能に設けられると共に、そのターンテーブル７上を横切る格好で回転軸５と平行にガイドフェンス８が架設されている。
【０００９】
鋸刃ユニット４は、ターンテーブル７の後方に立設された支持アーム９と、その支持アーム９の上端で支軸１０によって上下動可能に支持される本体１１とを備え、本体１１のハウジングとなるブレードカバー１２の左側方には、モータ１３とハンドル１４とが設けられて、ブレードカバー１２内に、モータ１３によって回転駆動する円盤状の鋸刃１５が設けられている。また、本体１１は、支軸１０に設けた図示しないトーションスプリングによって、図１の上死点へ付勢されており、ハンドル１４を保持して下方へ押し下げることで、本体１１を、図３に示すように、鋸刃１５がターンテーブル７の中央に設けた図示しないスリットを貫通する下死点まで下降させて、回転する鋸刃１５によってターンテーブル７上の被切断材を切断可能となる。すなわち、マイタソーとして使用することができる。１６は、本体１１の上死点では鋸刃１５を覆う位置にあり、本体１１の下降に伴って回転して鋸刃１５を露出させる安全カバーである。
【００１０】
さらに、支持アーム９は、ターンテーブル７上で本体１１ごと右方向（図２の下方向）へ傾倒可能となっており、任意の傾倒位置でレバー１７によって固定することで、鋸刃１５に垂直方向の角度を付与可能となっている。この本体１１の傾倒により、ターンテーブル７上の被切断材に対して傾斜切断が行える。加えて、ターンテーブル７は、ハンドル１４を把持して旋回操作することで、本体１１と共に水平回転が可能となる。このターンテーブル７の水平回転角度の選択により、鋸刃１５がガイドフェンス８と直交する直角切断と、そこから水平方向で傾斜する角度切断とが可能となる。
【００１１】
一方、本体１１は、支持アーム９と本体１１との間に設けられた固定機構１８により、図３の下死点で固定することができ、この固定状態でテーブル３を反転させれば、図４に示すように、鋸刃１５のみをテーブル３の上方へ突出させて、テーブル３上で被切断材をスライドさせて切断を行うテーブルソーとして使用可能となる。
このとき、テーブル３の回転中心となる回転軸５の軸心Ｏからモータ１３の中心Ｏ１までの距離Ｌ１が、回転軸５の軸心Ｏから支軸１０の中心Ｏ２までの距離Ｌ２よりも短くなる設定となっている。
【００１２】
ここで、テーブル３の回転軸５，５は、マイタソーの状態でテーブル３よりも上方に設置されていることから、図１〜３に示す第１の回転位置（マイタソー状態）と、図４に示す第２の回転位置（テーブルソー状態）とではテーブル３の高さが異なることになる（テーブルソーの方が高くなる）。また、テーブル３の回転を許容すべく前後方向に形成されたベース２中央の開口部１９において、その左右の内縁には、前方側に、第１の回転位置でテーブル３の下面を支持する一対の第１ストッパゴム２０，２０が突設される一方、後方側に、第１の回転位置でのテーブル３の上方にあって、第２の回転位置でテーブル３の下面を支持する一対の第２ストッパゴム２１，２１が突設されている。
【００１３】
よって、テーブル３は、マイタソーからテーブルソーへ切り替える際には、前方側を上方へ跳ね上げる方向（図３の矢印方向）でのみ回転でき、テーブルソーからマイタソーへ切り替える際には、後方側を上方へ跳ね上げる方向（図４の矢印方向）でのみ回転できることになる。なお、回転軸５，５は、テーブル３の前後方向の中心ではなく、第１の回転位置でやや後方寄りとなるように配置されていることから、マイタソーからテーブルソーへ切り替える際にテーブル３が第１ストッパゴム２０，２０に干渉することはない。
【００１４】
そして、このフリップオーバーソー１は、図５に示すように、モータ１３を、本体１１が上側となるマイタソーのテーブル位置では、本体１１が上死点にある状態で、テーブル３の回転軸５，５の上方近傍に位置するように配置している。本形態では、上方近傍として、本体１１の上死点の位置で、モータ１３の中心Ｏ１が、テーブル３の回転軸５，５の軸心Ｏを通る鉛直面Ｓよりもやや前方に位置する設定として、中心Ｏ１と鉛直面Ｓとの水平方向の距離Ｈが小さくなるようにしている。
【００１５】
以上の如く構成されたフリップオーバーソー１においては、まず、マイタソーとして使用する場合、図１〜３のように鋸刃ユニット４を上にした状態でテーブル３をストッパ機構６で固定する。この状態でハンドル１４を把持して鋸刃１５を回転させながら本体１１を下降させれば、ターンテーブル７上にセットした被切断材を切断可能となり、本体１１の傾動で傾斜切断が、ターンテーブル７の水平回転で角度切断が夫々行える。
ここで、モータ１３の位置設定によって本体１１の重心はテーブル３の前後方向で略中央（回転軸５近傍）に位置することになるため、ストッパ機構６が誤操作等によって解除されても、テーブル３が偶発的に回転するおそれはない。
【００１６】
そして、ここからテーブルソーとして使用する場合、本体１１を下死点まで下降させて固定機構１８で本体１１を固定し、その状態でストッパ機構６を解除操作してテーブル３を、テーブル３の前方を跳ね上げる方向で１８０°回転させれば、テーブル３が第２ストッパゴム２１，２１に当接する反転位置で停止する。同様に、テーブルソーからマイタソーへ切り替える場合は、テーブル３の後方を跳ね上げる方向で１８０°回転させれば、テーブル３が第１ストッパゴム２０，２０に当接する反転位置で停止する。これらの反転操作時に、モータ１３は、先述の位置設定に加えて、本体１１の下死点での固定によってさらに回転軸５に近くなるため、反転時に生じる慣性モーメントは小さく、軽い力で簡単に反転させることができる。
【００１７】
このように、上記形態のフリップオーバーソー１によれば、モータ１３を、本体１１が上側となるテーブル３の位置では、本体１１が上死点にある状態でテーブル３の回転中心の上方近傍に位置するように配置したことで、マイタソーの状態でテーブル３がバランス良く支持される。よって、誤操作によってストッパ機構６が解除されてもテーブル３が反転してしまうことがなく、偶発的な回転によるテーブル３や本体１１の破損が防止される。また、重心が回転中心に近くなることでテーブル３の回転操作が楽に行え、操作性も向上する。
【００１８】
また、マイタソーでの本体１１の上死点位置で、モータ１３の中心Ｏ１がテーブル３の回転中心Ｏよりも前方に位置するようにしたことで、重心が前方寄りに位置して、マイタソーからのテーブル３の偶発的な回転がより効果的に防止される。
一方、マイタソーでの本体１１の下死点位置で、テーブル３の回転中心Ｏからモータ１３の中心Ｏ１までの距離が、回転中心Ｏから支軸１０の中心Ｏ２までの距離よりも短くなるようにしたことで、テーブル３の反転時に生じる遠心力が小さくなり、軽い力で簡単に反転させることができる。よって、マイタソーからテーブルソーへのテーブル３反転の際の操作性が良好となる。
【００１９】
なお、モータの位置は、上記形態のように回転軸よりも前側に配置するものに限らず、回転軸より後側でも良いし、モータの中心が回転軸の真上に位置するようにしても良い。さらに、モータの向きも上記形態のように左右方向に限らず、前後や上下方向に設けられる場合であっても、回転中心の上方近傍に設けることによる良好なバランスや反転時の操作性は得られる。
その他、フリップオーバーソー自体の構造も上記形態に限らず、本体が左右両方へ傾動できるものや、逆に傾斜切断や角度切断ができない構造であっても本発明自体は適用可能である。
【図面の簡単な説明】
【００２０】
【図１】フリップオーバーソーの全体図である（マイタソー状態）。
【図２】フリップオーバーソーの平面図である。
【図３】下死点でのロック状態を示す説明図である。
【図４】テーブルソー状態を示す説明図である。
【図５】モータと回転軸との位置関係を示す説明図である。
【符号の説明】
【００２１】
１‥フリップオーバーソー、２‥ベース、３‥テーブル、４‥鋸刃ユニット、５‥回転軸、７‥ターンテーブル、９‥支持アーム、１０‥支軸、１１‥本体、１３‥モータ、１５‥鋸刃、１８‥固定機構。
【図１】
2006044070.tif 000003
【図２】
2006044070.tif 000004
【図３】
2006044070.tif 000005
【図４】
2006044070.tif 000006
【図５】
2006044070.tif 000007